(57)【特許請求の範囲】
【請求項１】
一端に正の電極と他端に負の電極とを有する電池を複数備えた電池集合体と、前記電池集合体の互いに隣り合う一つの電池の正の電極と他の電池の負の電極とを接続する複数の接続部材と、前記複数の接続部材が取り付けられ且つ電池集合体に重ねられるプレートとを備えた電源装置において、
前記電池集合体と前記プレートとは、前記電池集合体と前記プレートとを相対的に位置決めする位置決め手段と、前記プレートを前記電池集合体に取り付ける際に前記複数の接続部材がそれぞれ対応する前記正の電極及び負の電極に当接するように該プレートを変位させるプレート変位手段と、を備えたことを特徴とする電源装置。
【請求項２】
前記位置決め手段は、前記電池集合体の一つの面から突設された複数の位置決めボスと、前記プレートに設けられ且つ前記複数の位置決めボスがそれぞれ挿通される複数の位置決め孔と、を有しているとともに、
前記位置決め孔が、前記位置決めボスの径よりも大きく形成されていることを特徴とする請求項１記載の電源装置。
【請求項３】
前記プレート変位手段は、前記電池集合体の一つの面から突設された複数のガイドボスと、前記プレートに設けられ且つ前記複数のガイドボスがそれぞれ挿通される複数のガイド孔と、を有しているとともに、
前記ガイドボスが、前記電池集合体から離れるのにしたがって、当該ガイドボスを前記ガイド孔に挿入した際に前記複数の接続部材がそれぞれ対応する前記正の電極及び負の電極から離れる方向に傾斜していることを特徴とする請求項１又は請求項２に記載の電源装置。
【請求項４】
前記プレートは、前記電池集合体の中央に配される本体部と、前記本体部と平行で且つ互いの間に該本体部が配された一対の外側部とを有しているとともに、前記本体部に前記一対の外側部をそれぞれ連結する弾性変形可能な連結部が設けられていることを特徴とする請求項１乃至請求項３に記載の電源装置。
【発明の詳細な説明】
【技術分野】
【０００１】
本発明は、例えば、複数の電池が直列に接続されて得られ、且つ、内燃機関と電動機との双方の駆動力で走行可能なハイブリッド自動車や電気自動車等に搭載される電源装置に関する。
【背景技術】
【０００２】
内燃機関と電動機との双方の駆動力で走行するハイブリッド自動車や、電動機の駆動力で走行する電気自動車等には、電源装置が搭載されており、電気エネルギーの蓄積及び放出を担っている。電源装置は、複数の電池から構成される電池集合体を備え、所望の電圧を得るために各電池は直列に接続されている。各電池には、ニッケル水素電池等が用いられている。
【０００３】
しかしながら、前述した電源装置は、複数の電池の互いに隣り合う電池のうちの一つの電池の正の電極と他の電池の負の電極とを接続部材によって接続して、電池集合体の複数の電池を直列に接続しているため、複数の接続部材を電池集合体に組み付ける必要があり、電源装置の組み立て作業が煩雑になっていた。これは、電源装置を構成する電池数の増加によってより顕著になった。また電源装置の小型軽量化、簡略化等の妨げになることも考えられた。
【０００４】
この種の問題を解決するために、様々な電源装置が用いられてきた（例えば特許文献１参照)。この種の電源装置は、複数の電池から構成される電池集合体と、各電池を直列に接続する接続部材としての複数のバスバと、該複数のバスバが取り付けられて電池集合体に装着されるプレートとを備えている。電池の電池本体の一つの面には、正の電極と負の電極とを設けているとともに、前記正及び負の電極の外周面にはねじ溝が形成されている。プレートは、平面形状が矩形の略平板状に形成されている。バスバとプレートとには、それぞれ、正及び負の電極を通す複数の孔が設けられている。
【０００５】
このような電源装置を組み立てる際には、まず複数の電池を、互いに異なる電池の正の電極と負の電極とが隣り合うように重ね並べる。次に、複数のバスバを所望の位置に取り付けたプレートを各電池に重ねて、各電池の正及び負の電極をプレートの孔及びバスバの孔に通すことにより、電池集合体にプレートとバスバとを接続する。最後に、ねじ溝が形成された電極にナットをねじ込むことにより、電池集合体とプレート及びバスバとの接続を固定する。こうして、複数のバスバで各電池を直列に接続する。
【０００６】
前述した構成の電源装置は、電池集合体とプレート及び複数のバスバとの接続が、プレートを複数のバスバが取り付けられた後に電池集合体へ装着するので、プレートの複数の孔と該プレートに取り付けられた複数のバスバの孔とに同時に各電池の正及び負の電極を通して、ねじ締めすることで完了するため、電池集合体の複数の電池を直列に接続する際の組み立て作業が簡略化されていた。
【特許文献１】特開２００４−９５３８１号公報
【発明の開示】
【発明が解決しようとする課題】
【０００７】
しかしながら、前述した特許文献1に示された電源装置では、電池集合体にプレートを装着する際に、プレートの複数の孔と該プレートに取り付けられた複数のバスバの孔とに同時に各電池の正及び負の電極を通すため、各電極がプレートの孔及びバスバの孔に摺接して摩擦が生じることで、プレートを電池集合体に組み付けにくくなり、作業者に負担がかかるという問題があった。また、電源装置の電圧を増大させるために電池集合体の電池を増加して多極化させると、作業者の負担も増加してしまうこととなる。
【０００８】
したがって、本発明の目的は、組み立て作業の簡素化を可能とする電源装置を提供することにある。
【課題を解決するための手段】
【０００９】
前記課題を解決し目的を達成するために、請求項１に記載された発明は、一端に正の電極と他端に負の電極とを有する電池を複数備えた電池集合体と、前記電池集合体の互いに隣り合う一つの電池の正の電極と他の電池の負の電極とを接続する複数の接続部材と、前記複数の接続部材が取り付けられ且つ電池集合体に重ねられるプレートとを備えた電源装置において、前記電池集合体と前記プレートとは、前記電池集合体と前記プレートとを相対的に位置決めする位置決め手段と、前記プレートを前記電池集合体に取り付ける際に前記複数の接続部材がそれぞれ対応する前記正の電極及び負の電極に当接するように該プレートを変位させるプレート変位手段と、を備えたことを特徴とする電源装置である。
【００１０】
請求項２に記載された発明は、請求項１に記載の発明において、前記位置決め手段は、前記電池集合体の一つの面から突設された複数の位置決めボスと、前記プレートに設けられ且つ前記複数の位置決めボスがそれぞれ挿通される複数の位置決め孔と、を有しているとともに、前記位置決め孔が、前記位置決めボスの径よりも大きく形成されていることを特徴とするものである。
【００１１】
請求項３に記載された発明は、請求項１又は請求項２に記載の発明において、前記プレート変位手段は、前記電池集合体の一つの面から突設された複数のガイドボスと、前記プレートに設けられ且つ前記複数のガイドボスがそれぞれ挿通される複数のガイド孔と、を有しているとともに、前記ガイドボスが、前記電池集合体から離れるのにしたがって、当該ガイドボスを前記ガイド孔に挿入した際に前記複数の接続部材がそれぞれ対応する前記正の電極及び負の電極から離れる方向に傾斜していることを特徴とするものである。
【００１２】
請求項４に記載された発明は、請求項１乃至請求項３に記載の発明において、前記プレートは、前記電池集合体の中央に配される本体部と、前記本体部と平行で且つ互いの間に該本体部が配された一対の外側部とを有しているとともに、前記本体部に前記一対の外側部をそれぞれ連結する弾性変形可能な連結部が設けられていることを特徴とするものである。
【００１３】
請求項１に記載された本発明によれば、電池集合体とプレートとが、互いを相対的に位置決めする位置決め手段と、プレートを電池集合体に取り付ける際に複数の接続部材がそれぞれ対応する正の電極及び負の電極に当接するように当該プレートを変位させるプレート変位手段と、を備えているので、接続部材を電池集合体の所望の位置に簡単に設置することができる。このため、電池集合体に接続部材を組み付けるための作業工数を削減することができる。
【００１４】
請求項２に記載された本発明によれば、位置決め手段が、電池集合体の一つの面から突設された複数の位置決めボスと、プレートに設けられ且つ位置決めボスの径よりも大きく形成された複数の位置決め孔とを有しているので、位置決めボスを位置決め孔に挿通することで電池集合体とプレートとを位置決めすることができる。このため、プレートを電池集合体に簡単に設置することができるので、電池集合体に接続部材を組み付けるための作業工数を削減することができる。
【００１５】
請求項３に記載された本発明によれば、プレート変位手段が、電池集合体の一つの面から突設された複数のガイドボスと、プレートに設けられ且つ複数のガイドボスがそれぞれ挿通される複数のガイド孔とを有しているとともに、ガイドボスが電池集合体から離れるのにしたがってガイド孔に挿入された際に複数の接続部材がそれぞれ対応する正の電極及び負の電極から離れる方向に傾斜しているので、ガイドボスをガイド孔に挿通することでプレートを電池集合体に対して複数の接続部材がそれぞれ対応する正の電極及び負の電極に近づく方向に変位させることができる。このため、複数の接続部材をそれぞれ対応する正の電極及び負の電極に当接させることができる。
【００１６】
請求項４に記載された本発明によれば、プレートが、本体部と一対の外側部とを有し且つ該本体部に一対の外側部がそれぞれ弾性変形可能な連結部によって連結されているので、本体部と一対の外側部とをそれぞれ電池集合体に対して変位させることができる。このため、複数の接続部材をそれぞれ対応する正の電極及び負の電極に確実に当接させることができる。
【発明の効果】
【００１７】
以上説明したように請求項１に記載の本発明は、接続部材を電池集合体の所望の位置に簡単に設置することができるので、電池集合体に接続部材を組み付けるための作業工数を削減することができる。このため、電源装置の組み立て作業を簡素化することができる。
【００１８】
請求項２に記載の本発明は、位置決めボスを位置決め孔に挿通することで電池集合体とプレートとを位置決めすることができるので、プレートを電池集合体に簡単に設置することができ、電池集合体に接続部材を組み付けるための作業工数を削減することができる。このため、電源装置の組み立て作業を簡素化することができる。
【００１９】
請求項３に記載の本発明は、ガイドボスをガイド孔に挿通することでプレートを電池集合体に対して複数の接続部材がそれぞれ対応する正の電極及び負の電極に近づく方向に変位させることができるので、複数の接続部材をそれぞれ対応する正の電極及び負の電極に当接させることができる。このため、接続部材を電池集合体の所望の位置に簡単に設置することができ、よって、電池集合体に接続部材を組み付けるための作業工数を削減することができる。
【００２０】
請求項４に記載の本発明は、本体部と一対の外側部とをそれぞれ電池集合体に対して変位させることができるので、複数の接続部材をそれぞれ対応する正の電極及び負の電極に確実に当接させることができる。このため、接続部材を電池集合体の所望の位置に確実に設置することができる。
【発明を実施するための最良の形態】
【００２１】
以下、本発明の一実施形態にかかる電源装置を、図１乃至図７を参照して説明する。本発明の一実施形態にかかる電源装置１は、内燃機関と電動機との双方の駆動力で走行するハイブリッド車や、電動機の駆動力によって走行する電気自動車に搭載される。
【００２２】
本発明の電源装置１は、図１に示すように、電池集合体２と、後述する各電池３を直列に接続する接続部材としてのバスバ８，９と、該バスバ８，９が取り付けられて電池集合体２に取り付けられるプレート１０と、を備えている。
【００２３】
電池集合体２は、図１に示すように、複数の電池３を備えている。電池３は、方体状の電池本体４と、正の電極（以下正極と呼ぶ）６と、負の電極（以下負極と呼ぶ）７とを備えている。正極６は、電池本体４の一端に設けられている。負極７は、電池本体４の他端に設けられている。正極６と負極７とは、角柱状に形成されており、電池本体４の一つの端面５（以下、一端面と呼ぶ）から同方向に突出して設けられるとともに、互いに並行（平行）に配されている。
【００２４】
複数の電池３は、図１に示すように、電池本体４の一端面５が互いに同一平面上に位置する状態で、互いに隣り合う電池３同士の正極６と負極７とが互いに隣り合うように、一方向（図１中の矢印Ｈ）に沿って並べられている。複数の電池３は、一方向Ｈに交差する方向に相対し且つ互いに隣り合う一方向Ｈが平行になるように２列に配されている。そして、互いに隣り合う電池３同士は、正極６と負極７とが互いに隣り合っている。即ち、複数の電池３は、正極６と負極７とが交互に逆向きとなる状態で重ねられている。
【００２５】
また、電池集合体２は、図１に示すように、複数の電池３を束ねて固定する拘束バンド１１と、エンドプレート１２と、電池間プレート２０と、位置決めボス１３と、ガイドボス１４と、を備えている。
【００２６】
拘束バンド１１は、絶縁性の材料からなり且つ帯板状に形成されて複数設けられている。複数の拘束バンド１１は、それぞれ、電池集合体２の上面２ａと該上面２ａと相対向する底面２ｂとに配されている。複数の拘束バンド１１は、それぞれ、各電池３の並ぶ一方向Ｈと平行に配され且つ互いに間隔をあけて設けられている。
【００２７】
エンドプレート１２は、絶縁性の材料からなり且つ方体状に形成されている。このエンドプレート１２は、電池集合体２の一方向Ｈの両端部それぞれに配されて一対設けられている。一対のエンドプレート１２ａ，１２ｂは、図１又は図２に示すように、互いの間に前述した複数の電池３と電池間プレート２０とを挟み、拘束バンド１１の長手方向の両端部にそれぞれボルト等で固定されることによって、複数の電池３及び電池間プレート２０を束ねて即ち一体化して保持する。
【００２８】
位置決めボス１３は、図１又は図４に示すように、円柱状で且つガイドボス１４よりも長く形成されており、電池集合体２の一方向Ｈに並ぶ複数の電池３のうち一端に位置する一つの電池３ａ側に配された一方のエンドプレート１２ａから垂直方向に突出して設けられている。位置決めボス１３は、電池集合体２の一方向Ｈと交差する方向に間隔をあけて一対設けられている。一対の位置決めボス１３は、互いに平行であるとともに、後述する位置決め孔２７を通るように設けられている。位置決めボス１３は、後述する位置決め孔２７とともに位置決め手段を構成し、電池集合体２とプレート１０とを相対的に位置決めする。
【００２９】
電池間プレート２０は、絶縁性の材料からなり且つ方体状に形成されている。電池間プレート２０は、図１又は図２に示すように、電池集合体２の一方向Ｈに並ぶ複数の電池３の間に配されて複数設けられている。
【００３０】
ガイドボス１４は、図１又は図４に示すように、円柱状に形成されており、複数設けられている。複数のガイドボス１４は、それぞれ、電池間プレート２０の複数の電池３の一端面５と同一平面上に位置する一つの面２０ａから突設されている。複数のガイドボス１４は、それぞれ、複数の電池間プレート２０それぞれの一方向Ｈと交差する方向に相対する両端部のうちの一方に設けられて、交互に逆向きとなるように配されている。
【００３１】
複数のガイドボス１４は、電池間プレート２０即ち電池集合体２から離れるのにしたがって徐々に電池集合体２の一方向Ｈの他端に近づくように傾斜して形成されている。即ち、ガイドボス１４は、電池集合体２から離れるのにしたがって、当該ガイドボス１４を後述するガイド孔２８に挿入した際に複数のバスバ８，９がそれぞれ対応する正極６及び負極７から離れる方向に傾斜して形成されている。
【００３２】
また、複数のガイドボス１４は、図２又は図３に示すように、電池集合体２の一方向Ｈと交差する方向に相対する両端部に、一方向Ｈに沿って等間隔に並べられ且つ後述するガイド孔２８を通るように設けられている。ガイドボス１４は、後述するガイド孔２８とともにプレート変位手段を構成し、プレート１０を電池集合体２に対して複数のバスバ８，９がそれぞれ対応する正極６及び負極７に近づく方向に変位させる。
【００３３】
バスバ８，９は、それぞれ、導電性を有する金属で形成されて複数設けられている。バスバ８は、図1乃至図３に示すように、帯板状に形成されており、複数の電池３の並ぶ一方向Ｈに交差する方向と平行になる向きで、プレート１０の後述する本体部２１の表面２１ａ上に配されるとともに、後述するバスバ収容部２４内に取り付けられる。複数のバスバ８は、それぞれ、一方向Ｈに相対する一方の面１５に正極６と負極７とが接続されて、互いに隣り合う電池３同士の互いに隣り合う正極６と負極７とを接続する。
【００３４】
バスバ９は、図1乃至図３に示すように、正極６と接続する正極接続壁１７と、負極７と接続する負極接続壁１８と、正極接続壁１７と負極接続壁１８との一端部同士を連結する略矩形状の連結壁１９とを有して、全体として略コ字状に形成されている。正極接続壁１７と負極接続壁１８とは、それぞれ略矩形状に形成され、互いに間隔をあけて相対し且つ互いに平行である。
【００３５】
バスバ９は、連結壁１９が複数の電池３の並ぶ一方向Ｈと平行になる向きで、プレート１０の後述する一対の外側部２２それぞれの表面２２ａ上に配されるとともに、後述するバスバ収容部２４内に取り付けられる。そして、バスバ９は、正極接続壁１７の負極接続壁１８と相対する側の面に正極６が接続され且つ負極接続壁１８の正極接続壁１７から離れた側の面に負極７が接続されて、互いに隣り合う電池３同士の互いに隣り合う正極６と負極７とを接続する。
【００３６】
プレート１０は、絶縁性の合成樹脂からなり且つ平板状に形成されている。プレート１０は図1に示すように、電池集合体２の上面２ａに重ねられるとともに、上面２ａより小さく形成されている。プレート１０は、電池集合体２の中央に配する本体部２１と、該本体部２１を互いの間に配した一対の外側部２２と、本体部２１と一対の外側部２２とを連結する連結部２３と、により構成されている。
【００３７】
本体部２１は、平面形状が略矩形の平板状に形成されており、前述した各電池３の正極６と負極７とを通すことのできる電極通し孔２６が設けられている。本体部２１は、電極通し孔２６内に正極６及び負極７を通して、電池集合体２の上面２ａに該電池集合体２の略中央に位置するように重ねられる。本体部２１は、前記上面２ａに重ねられた際に外側に露出する表面２１ａにバスバ収容部２４が複数設けられている。これらの複数のバスバ収容部２４は、前記表面２１ａから立設する複数の隔壁２５によって形成されている。そして、本体部２１は、バスバ収容部２４内にバスバ８が配されて、該バスバ８が取り付けられる。
【００３８】
また、本体部２１には、当該本体部２１を貫通するとともに位置決めボス１３が挿通する位置決め孔２７が設けられている。位置決め孔２７は、本体部２１が電池集合体２に取り付けられた際に該電池集合体２の一方向Ｈの一端側に位置するように配されており、一方向Ｈに交差する方向に間隔をあけて一対設けられている。位置決め孔２７は、位置決めボス１３とともに位置決め手段を構成し、電池集合体２とプレート１０とを相対的に位置決めする。
【００３９】
一対の外側部２２は、前述した本体部２１と平行に設けられ且つ互いの間に該本体部２１が配されている。一対の外側部２２は、それぞれ、電池集合体２の上面２ａに重ねられた際に外側に露出する表面２２ａにバスバ収容部２４が複数設けられている。これらの複数のバスバ収容部２４は、前記表面２２ａから立設する複数の隔壁２５によって形成されている。そして、一対の外側部２２は、それぞれ、バスバ収容部２４内にバスバ９が配されて、該バスバ９が取り付けられる。
【００４０】
また、一対の外側部２２には、それぞれ、当該外側部２２を貫通するとともにガイドボス１４が挿通するガイド孔２８が設けられている。ガイド孔２８は、一対の外側部２２が電池集合体２に取り付けられた際に該電池集合体２の一方向Ｈと交差する方向に相対する両端部に位置するように配されており、一方向Ｈに沿って間隔をあけて複数設けられている。ガイド孔２８は、ガイドボス１４とともにプレート変位手段を構成し、プレート１０を電池集合体２に対して複数のバスバ８，９がそれぞれ対応する正極６及び負極７に近づく方向に変位させる。
【００４１】
連結部２３は、本体部２１と各外側部２２との間それぞれに複数設けられており、一方向Ｈに沿って間隔をあけて配されている。複数の連結部２３は、それぞれ、一端が本体部２１の一方向Ｈに沿った端部に連なり、他端が一対の外側部２２の互いに相対する側の端部に連なっている。複数の連結部２３は、本体部２１と一対の外側部２２とをそれぞれ連結している。
【００４２】
また、複数の連結部２３は、それぞれ、細幅のクランク形状に形成されて、弾性変形自在となっている。複数の連結部２３は、弾性変形することで、本体部２１と一対の外側部２２とが別々に電池集合体２に対して変位することを許容する。
【００４３】
前述した構成の電源装置１を組み立てる際には、まず、図１に示すように、一方向Ｈに沿って２列に並べられた各電池３を一対のエンドプレート１２の互いの間に挟み、電池集合体２の上面２ａと底面２ｂとの双方に複数の拘束バンド１１を互いに間隔をあけて配置して、複数の拘束バンド１１の長手方向の両端部を一対のエンドプレート１２にボルト等で固定することで複数の電池３を束ねて、電池集合体２を一体化する。
【００４４】
次に、図１に示すように、本体部２１のバスバ収容部２４内にバスバ８を配して、本体部２１にバスバ８を取り付けるとともに、各外側部２２のバスバ収容部２４内にバスバ９を配して、各外側部２２にそれぞれバスバ９を取り付けて、プレート１０にバスバ８，９を取り付ける。
【００４５】
続いて、図２に示すように、前述したプレート１０を電池集合体２上に位置付けて、プレート１０の本体部２１の各位置決め孔２７に一方のエンドプレート１２ａの各位置決めボス１３を挿入して、電池集合体２とプレート１０とを相対的に位置決めする。
【００４６】
そして、図４又は図６に示すように、各位置決めボス１３を各位置決め孔２７にさらに挿入してプレート１０を電池集合体２に近づけていき、プレート１０の各電極通し孔２６に電池集合体２の各電池３の正極６と負極７とをそれぞれ挿入するとともに、プレート１０の各ガイド孔２８内に電池集合体２の電池間プレート２０に設けられた各ガイドボス１４が侵入する。このとき、プレート１０の本体部２１のバスバ８と、各外側部２２のバスバ９の正極接続壁１７及び負極接続壁１８と、各電池３の正極６と負極７とがそれぞれ平行となるように配される。
【００４７】
さらに、図３，図５，図７に示すように、各ガイドボス１４を各ガイド孔２８に挿入していくと、プレート１０が電池集合体２に対して複数のバスバ８，９がそれぞれ対応する正極６及び負極７に近づく方向に変位して、各バスバ８，９がそれぞれ対応する正極６及び負極７に当接する。
【００４８】
さらに続いて、これらのバスバ８，９をそれぞれ対応する正極６及び負極７に取り付ける。バスバ８，９は、図２に示すように、並べられた複数の電池３のうち一端に位置する一つの電池３ａの負極７と、他端に位置する他の電池３ｂの正極６とを除いた、隣り合う正極６と負極７とを接続するように取り付けられて、電池集合体２の各電池３を直列に接続する。
【００４９】
平板状のバスバ８を、該バスバ８の一方向Ｈに平行な一方の面に正極６と負極７双方が溶接等によって固定されて接続する。また、コの字型のバスバ９を、該バスバ９の正極接続壁１７の負極接続壁１８と相対する側の面に正極６が当接し且つ負極接続壁１８の正極接続壁１７から離れた側の面に負極７が当接されて、接した正極接続壁１７と正極６と、負極接続壁１８と負極７とが、それぞれ、溶接等によって固定されて接続する。
【００５０】
そして、互いに隣り合う電池３同士の互いに隣り合う正極６と負極７とが、正極接続壁１７と負極接続壁１８とに接続される。このバスバ９の正極接続壁１７の負極接続壁１８と相対する側の面と負極接続壁１８の正極接続壁１７から離れた側の面との間隔は、正極６の正極接続部側の面と負極７の負極接続側の面との間隔と略等しい。こうして、電池集合体２を構成する複数の電池３は、バスバ８，９により直列に接続される。
【００５１】
最後に、各バスバ８，９が、各電池３の正極６と負極７との電位差を測定するための図示しない測定部と電線等で接続されることによって、電池集合体２と前記測定部とが接続される。以上により、電源装置１の組み立てが完了する。
【００５２】
本実施形態によれば、電池集合体２とプレート１０とが、互いを相対的に位置決めする位置決め手段と、プレート１０を電池集合体２に取り付ける際に複数のバスバ８，９がそれぞれ対応する正極６及び負極７に当接するように当該プレート１０を変位させるプレート変位手段と、を備えている。
【００５３】
このため、バスバ８，９を電池集合体２の所望の位置に簡単に設置することができるので、電池集合体２にバスバ８，９を組み付けるための部品点数を削減し且つ組み付け工数を削減することができる。したがって、電源装置１を組み立てるための部品点数を削減することができるとともに、組み立て作業を簡素化することができる。
【００５４】
また、位置決め手段が、電池集合体２の一方のエンドプレート１２ａから突設された複数の位置決めボス１３と、プレート１０に設けられ且つ位置決めボス１３の径よりも大きく形成された複数の位置決め孔２７とを有している。このため、位置決めボス１３を位置決め孔２７に挿通することで電池集合体２とプレート１０とを位置決めすることができるので、プレート１０を電池集合体２に組み付けるための部品点数を削減し且つ組み付け工数を削減することができる。
【００５５】
さらに、プレート変位手段が、電池集合体２の電池間プレート２０の一つの面２０ａから突設された複数のガイドボス１４と、プレート１０に設けられ且つ複数のガイドボス１４がそれぞれ挿通される複数のガイド孔２８とを有しているとともに、ガイドボス１４が電池集合体２から離れるのにしたがってガイド孔２８に挿入された際に複数のバスバ８，９がそれぞれ対応する正極６及び負極７から離れる方向に傾斜している。
【００５６】
このため、ガイドボス１４をガイド孔２８に挿通することでプレート１０を電池集合体２に対して複数のバスバ８，９がそれぞれ対応する正極６及び負極７に近づく方向に変位させることができるので、複数のバスバ８，９をそれぞれ対応する正極６及び負極７に当接させることができる。したがって、バスバ８，９を電池集合体２の所望の位置に簡単に設置することができ、よって、電池集合体２にバスバ８，９を組み付けるための部品点数を削減し且つ組み付け工数を削減することができる。
【００５７】
また、プレート１０が、本体部２１と一対の外側部２２とを有し且つ該本体部２１に一対の外側部２２がそれぞれ弾性変形可能な連結部２３によって連結されているので、プレート１０の本体部２１と一対の外側部２２とをそれぞれ電池集合体２に対して変位させることができる。このため、複数のバスバ８，９をそれぞれ対応する正極６及び負極７に確実に当接させることができ、よって、バスバ８，９を電池集合体２の所望の位置に確実に設置することができる。
【００５８】
前述した本実施形態では、位置決め手段として、円柱状の一対の位置決めボス１３と、位置決めボス１３が挿通する位置決め孔２７とからなる位置決め手段を備えていた。しかしながら、本発明では、位置決め手段の方法や数は限定されない。即ち、方法は、突起と孔とで構成されてなくてもよい。また位置決め手段の数は一つでもよく、三つ以上でもよい。さらに、本発明では、突起と孔の形状や数は限定するものではなく、如何なる形状でもよく、いくつ設けていても良い。
【００５９】
また、前述した本実施形態では、ガイドボス１４が電池集合体２の電池間プレート２０の一つの面２０ａから突設されていた。しかしながら、本発明では、ガイドボス１４が電池集合体２の複数の電池３の一端面５から突設されていても良い。
【図面の簡単な説明】
【００６０】
【図１】本発明の一実施形態にかかる電源装置を分解して示す斜視図である。
【図２】図1に示された電源装置を組み立てる過程において、プレートが電池集合体に位置決めされる状態を示す平面図である。
【図３】図1に示された電源装置を組み立てる過程において、プレートが電池集合体に取り付けられた状態を示す正面図である。
【図４】図２に示された電源装置の要部を拡大して示す側面図である。
【図５】図３に示された電源装置の要部を拡大して示す側面図である。
【図６】図２中のＶＩ部を拡大して示す平面図である。
【図７】図３中のＶＩＩ部を拡大して示す平面図である。
【符号の説明】
【００６１】
１  電源装置
２  電池集合体
３  電池
６  正極（正の電極）
７  負極（負の電極）
８  バスバ（接続部材）
９  バスバ（接続部材）
１０  プレート
１３  位置決めボス（位置決め手段）
１４  ガイドボス（プレート変位手段）
２１  本体部
２２  外側部
２３  連結部
２７  位置決め孔（位置決め手段）
２８  ガイド孔（プレート変位手段）
【図１】
0004477048.tif 000002
【図２】
0004477048.tif 000003
【図３】
0004477048.tif 000004
【図４】
0004477048.tif 000005
【図５】
0004477048.tif 000006
【図６】
0004477048.tif 000007
【図７】
0004477048.tif 000008